【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
長手方向に複数の上ピン孔を有する外筒と、該外筒に回動自在に嵌挿されるとともに、鍵穴を貫通し前記外筒の複数の上ピン孔と対応する複数の下ピン孔を有する内筒とを備え、少なくとも前記外筒の上ピン孔に挿入されてバネにより内筒方向に付勢された上ピンと内筒の下ピン孔に挿入された下ピンとの間の任意の箇所には補助ピンを介在させ、該補助ピンを前記上ピンと下ピンとの間から除去することによって、施解錠用のキーを変更することが可能なシリンダー錠であって、
前記内筒の外周面の長手方向には複数の長円状の収納孔を形成するとともに、前記複数の収納孔と連通した溝を形成し、
内筒を回動して前記長円状の収納孔が上ピン孔と対向する位置となった場合に、当該収納孔の長さ方向の幅が対向する上ピン孔と隣り合う上ピン孔とを隔離する隔壁とに渡る領域に形成されてなり、
前記内筒の収納孔と連通した溝には、長さ方向に山部と谷部とが交互に連なって形成され、当該谷部の後方側と山部との間にはテーパ部を、谷部の前方側と山部との間には段部を設けてなるセット・リセット部材を摺動自在に嵌装し、
前記補助ピンの全てが上ピンと下ピンとの間に位置しているリセット状態において、前記内筒の鍵穴に、本シリンダー錠に適合したキーを挿入すると、そのキーの鍵山の作用によって上ピンと下ピンとの間の補助ピンは上ピン孔または下ピン孔に収納され、この状態で内筒を回動すると、該上ピン孔に収納された補助ピンがセット・リセット部材の山部に当接した状態となり、この状態から同セット・リセット部材を外部操作によって押動し、前記山部が補助ピンと当接する状態から谷部と対峙する位置までセット・リセット部材を前記溝の長さ方向に押動すると、上ピンのバネの付勢力によって補助ピンが内筒の収納孔に収納され、この押動を解除すると、前記セット・リセット部材のバネの付勢力によって、前記セット・リセット部材の段部が収納孔に収納された補助ピンを、内筒の長円状の収納孔の長さ方向に沿って外筒の隔壁と対峙する位置まで移動させた状態で補助ピンを保持するセット状態と、
前記キーを挿入し、同内筒をある設定角度回動して前記収納孔と上ピン孔とを対峙させた後に、前記セット状態とする場合のセット・リセット部材の押動量よりも多い押動量で前記溝の長さ方向にセット・リセット部材を押動することによって、前記補助ピンが長円状の収納孔の谷部に位置する状態から当該谷部に連なるテーパ部の作用によって上ピン孔側に移動し、このテーパ部に連なる山部が上ピン孔内に移動した補助ピンを上ピン孔内に保持し、このセット・リセット部材の押動状態を保持しつつ前記内筒を上ピン孔と下ピン孔とが対峙する位置まで回動し、且つ、前記セット・リセット部材の押動状態を解除することによって、収納孔に一時的に保持された補助ピンを元の上ピンと下ピンとの間に戻すリセット状態とすることが可能なように構成してなるシリンダー錠。
【請求項２】
内筒の収納孔の一部には、蓋（補助ピンの出入りを阻止する出入阻止部）を形成してあり、内筒を回動して外筒の上ピン孔にある補助ピンが、当該内筒の収納孔に対峙する位置になった時、前記補助ピンは収納孔の蓋（補助ピンの出入りを阻止する出入阻止部）に当接して、該収納孔に収納されないように構成してある請求項１に記載のシリンダー錠。
【請求項３】
前記内筒の鍵穴が形成された正面に、前記複数の収納孔と連通した溝と外部とを連通するセット・リセットピン挿入孔を穿った請求項１または２のシリンダー錠と、第１の長さを有する第１ピンが前記セット・リセットピン挿入孔に挿入され、第１の長さの第１ピンを押し込むことで、前記セット・リセット部材の山部が上ピン孔に対峙する状態から谷部と対峙する状態に外部操作するための第１の治具と、第１の長さよりも長い第２の長さを有する第２ピンが前記セット・リセットピン挿入孔に挿入され、第２の長さの第２ピンを押し込むことで、前記補助ピンが長円状の収納孔の谷部に位置する状態から当該谷部に連なるテーパ部の作用によって上ピン孔側に押し込むための第２の治具とからなるシリンダー錠を用いたキーシステム。
【請求項４】
前記内筒の鍵穴が形成された正面に、前記複数の収納孔と連通した溝と外部とを連通するセット・リセットピン挿入孔を穿った請求項１または２のシリンダー錠と、第１の長さを有する第１ピンが前記セット・リセットピン挿入孔に挿入され、第１の長さの第１ピンを押し込むことで、前記セット・リセット部材の山部が上ピン孔に対峙する状態から谷部と対峙する状態に外部操作するための第１の治具と、鍵穴に挿入して、リセット操作を行うためのキーに固定しつつ、このキーを鍵穴に挿入すると第１の長さよりも長い第２の長さを有する第２ピンが前記セット・リセットピン挿入孔に挿入され、第２の長さの第２ピンを押し込むことで、前記補助ピンが長円状の収納孔の谷部に位置する状態から当該谷部に連なるテーパ部の作用によって上ピン孔側に押し込むための第２の治具とからなるシリンダー錠を用いたキーシステム。
【手続補正２】
【補正対象書類名】明細書
【補正対象項目名】０００７
【補正方法】変更
【補正の内容】
【０００７】
この特許文献３（先願発明）のシリンダー錠を更に改良したものが本発明であることから、まず、図３１〜図３８に基づいて、先願発明のシリンダー錠について説明する。この先願発明のシリンダー錠は、工事用キーや複数のキー（チェンジキー）など全てのキーで施解錠可能なリセット状態と、そのリセット状態から、一つのキー（チェンジキー）で施解錠可能なようにセットされるセット状態とを有し、他のキー（チェンジキー）に変更する場合には、まず外部からの操作によってリセット状態に戻し、次に他のキー（チェンジキー）にセットすることができるものである。      
図３１は、先願発明（特許文献３）のシリンダー錠の正面図、図３２は図３１のＺ１−Ｚ１線断面図、図３３は図３１のＺ２−Ｚ２線断面図、図３４は図３１のＺ３−Ｚ３線断面図、図３５は図３２，図３３のＤ２−Ｄ２、Ｅ−Ｆ線断面図、図３６（Ａ）は内筒４００の側面図、図３６（Ｂ）は内筒４００の正面図、図３６（Ｃ）は図３６（Ｂ）のＺ３−Ｚ３線断面図である。
【手続補正３】
【補正対象書類名】明細書
【補正対象項目名】００２４
【補正方法】変更
【補正の内容】
【００２４】
以上のように、特許文献１のシリンダー錠は繰り返しキーチェンジができないものであり、特許文献２のシリンダー錠においては、繰り返しキーチェンジができるものであるが、キーチェンジを可能とする補助ピンを専用の治具を使用して外部に取り出し、また必要に応じて内部に戻すようにしたものであった。また、特許文献３では、キーチェンジを可能とする補助ピンをシリンダー錠の内部で、予め配置したセット・リセット部材の押動によって上ピンと下ピンとの間に位置した補助ピンを、補助ピン収納用の収納ポケットに収納させることにより、キーチェンジを行うことができ、また必要に応じて収納ポケットに収納された補助ピンを元に戻すことによって繰り返しキーチェンジができるようしたものである。
そして、特許文献３（先願発明）の図３０〜３５に示す実施例では、収納ポケットを 内筒に設けたものではあるが、実用上極めて重要なマスターキーを設けることができないといった問題があった。
【手続補正４】
【補正対象書類名】明細書
【補正対象項目名】００２８
【補正方法】変更
【補正の内容】
【００２８】
発明の請求項１のシリンダー錠は、長手方向に複数の上ピン孔を有する外筒と、該外筒に回動自在に嵌挿されるとともに、鍵穴を貫通し前記外筒の複数の上ピン孔と対応する複数の下ピン孔を有する内筒とを備え、少なくとも前記外筒の上ピン孔に挿入されてバネにより内筒方向に付勢された上ピンと内筒の下ピン孔に挿入された下ピンとの間の任意の箇所には補助ピンを介在させ、該補助ピンを前記上ピンと下ピンとの間から除去することによって、施解錠用のキーを変更することが可能なシリンダー錠であって、
前記内筒の外周面の長手方向には複数の長円状の収納孔を形成するとともに、前記複数の収納孔と連通した溝を形成し、
内筒を回動して前記長円状の収納孔が上ピン孔と対向する位置となった場合に、当該収納孔の長さ方向の幅が対向する上ピン孔と隣り合う上ピン孔とを隔離する隔壁とに渡る領域に形成されてなり、
前記内筒の収納孔と連通した溝には、長さ方向に山部と谷部とが交互に連なって形成され、当該谷部の後方側と山部との間にはテーパ部を、当該谷部の前方側と山部との間には段部を設けてなるセット・リセット部材を摺動自在に嵌装し、
前記補助ピンの全てが上ピンと下ピンとの間に位置しているリセット状態において、前記内筒の鍵穴に、本シリンダー錠に適合したキーを挿入すると、そのキーの鍵山の作用によって上ピンと下ピンとの間の補助ピンは上ピン孔または下ピン孔に収納され、この状態で内筒を回動すると、該上ピン孔に収納された補助ピンがセット・リセット部材の山部に当接した状態となり、この状態から同セット・リセット部材を外部操作によって押動し、前記山部が補助ピンと当接する状態から谷部と対峙する位置までセット・リセット部材を前記溝の長さ方向に押動すると、上ピンのバネの付勢力によって補助ピンが内筒の収納孔に収納され、この押動を解除すると、前記セット・リセット部材のバネの付勢力によって、前記セット・リセット部材の段部が収納孔に収納された補助ピンを、内筒の長円状の収納孔の長さ方向に沿って外筒の隔壁と対峙する位置まで移動させた状態で補助ピンを保持するセット状態と、
前記キーを挿入し、同内筒をある設定角度回動して前記収納孔と上ピン孔とを対峙させた後に、前記セット状態とする場合のセット・リセット部材の押動量よりも多い押動量で前記溝の長さ方向にセット・リセット部材を押動することによって、前記補助ピンが長円状の収納孔の谷部に位置する状態から当該谷部に連なるテーパ部の作用によって上ピン孔側に移動し、このテーパ部に連なる山部が上ピン孔内に移動した補助ピンを上ピン孔内に保持し、このセット・リセット部材の押動状態を保持しつつ前記内筒を上ピン孔と下ピン孔とが対峙する位置まで回動し、且つ、前記セット・リセット部材の押動状態を解除することによって、収納孔に一時的に保持された補助ピンを元の上ピンと下ピンとの間に戻す
リセット状態とすることが可能なように構成してなるシリンダー錠である。
【手続補正５】
【補正対象書類名】明細書
【補正対象項目名】００３０
【補正方法】変更
【補正の内容】
【００３０】
また、特定のキーによる操作が可能となるようにセットした場合であっても、マスターキーを鍵穴に挿入した場合、上ピンと下ピンとの間に介在する補助ピンの全てが上ピン孔側へ移動し、下ピンと補助ピンとの間又は下ピンと上ピンとの間がシャーラインと一致するように鍵山を形成しておけば、特定のキーで施解錠可能なセット状態となったシリンダー錠であってもマスターキーでの施解錠も可能となる。なお、マスターキーで施解錠を行うために内筒を回動しても、押動を伴うセット・リセット部材のセット操作を行わない限り、前記マスターキーの鍵穴への挿入によって外筒の上ピン孔に一時的に収納された補助ピンが、内筒の収納孔に収納されるのをセット・リセット部材の山部が阻止する。したがって、マスターキーでの施解錠で一時的に施解錠を行ったとしても、外部操作によるセット操作を行わなければ、前にセットした特定のキーも合鍵として機能し、施解錠を行うことができる。
【手続補正６】
【補正対象書類名】明細書
【補正対象項目名】００３２
【補正方法】変更
【補正の内容】
【００３２】
前述したセット・リセット部材は、後述する実施例においては、常時に後方側に付勢するバネを設けており、外部操作により前方側に押動する場合には、このバネの付勢力に抗して押動されるとともに、外部操作を解除するとこのバネの付勢力で自動的にセット・リセット部材が後方に復帰するように構成しているが、本発明はこれに限定するものではなく、外部操作を解除すると収納孔に対してセット・リセット部材の谷部が一致するようにセット・リセット部材を可動操作可能に構成すれば良く、このような構成にする場合、前述したようなセット・リセット部材をバネで常時後方に付勢する方法の他、上述したバネに替えて、常時にセット・リセット部材を後方に付勢可能なように、セット・リセット部材の少なくとも先端側を磁性体で構成するとともに、内筒のセット・リセット部材を挿入する溝の先端側の側壁にセット・リセット部材の極性と同じ極性の磁性体を設け、同じ極性の磁性体の反発力を利用してセット・リセット部材を常時後方側に付勢するように構成することもできる。
【手続補正７】
【補正対象書類名】明細書
【補正対象項目名】００３４
【補正方法】変更
【補正の内容】
【００３４】
本発明の請求項３のシリンダー錠を用いたキーシステムは、前記内筒の鍵穴が形成された正面に、前記複数の収納孔と連通した溝と外部とを連通するセット・リセットピン挿入孔を穿った請求項１または２のシリンダー錠と、第１の長さを有する第１ピンが前記セット・リセットピン挿入孔に挿入され、第１の長さの第１ピンを押し込むことで、前記セット・リセット部材の山部が上ピン孔に対峙する状態から谷部と対峙する状態に外部操作するための第１の治具と、第１の長さよりも長い第２の長さを有する第２ピンが前記セット・リセットピン挿入孔に挿入され、第２の長さの第２ピンを押し込むことで、前記補助ピンが長円状の収納孔の谷部に位置する状態から当該谷部に連なるテーパ部の作用によって上ピン孔側に押し込むための第２の治具とからなる。
【手続補正８】
【補正対象書類名】明細書
【補正対象項目名】００３５
【補正方法】変更
【補正の内容】
【００３５】
本発明の請求項４のシリンダー錠を用いたキーシステムは、前記内筒の鍵穴が形成された正面に、前記複数の収納孔と連通した溝と外部とを連通するセット・リセットピン挿入孔を穿った請求項１または２のシリンダー錠と、第１の長さを有する第１ピンが前記セット・リセットピン挿入孔に挿入され、第１の長さの第１ピンを押し込むことで、前記セット・リセット部材の山部が上ピン孔に対峙する状態から谷部と対峙する状態に外部操作するための第１の治具と、鍵穴に挿入して、リセット操作を行うためのキーに固定しつつ、このキーを鍵穴に挿入すると第１の長さよりも長い第２の長さを有する第２ピンが前記セット・リセットピン挿入孔に挿入され、第２の長さの第２ピンを押し込むことで、前記補助ピンが長円状の収納孔の谷部に位置する状態から当該谷部に連なるテーパ部の作用によって上ピン孔側に押し込むための第２の治具とからなる。
【手続補正９】
【補正対象書類名】明細書
【補正対象項目名】００４３
【補正方法】変更
【補正の内容】
【００４３】
このリセット状態のシリンダー錠は、複数のシリンダー錠を施解錠可能なマスターキーＭＫ、複数のシリンダー錠の各々のみを施解錠可能な個別のチェンジキーＣＫや工事用キー等の全てのキーで施解錠可能である。
【手続補正１０】
【補正対象書類名】明細書
【補正対象項目名】００５５
【補正方法】変更
【補正の内容】
【００５５】
このセット・リセット部材９は、その先端と溝４Ａの前方側との間には、付勢部材であるバネ１０を介在している。そして、常時には後方側（挿入するキーの先端方向を前方側とし、その反対側を後方側とする。）に付勢され、その後端が内筒４の鍔部４Ｄに当接して、それ以上の移動が阻止されている。このリセット状態時において、内筒４の鍵穴３に本発明のシリンダー錠１に適合したキーＣＫを挿入した状態が図９であり、図９のＦ−Ｅ線断面を図１０に示す。次にキーＣＫにより、内筒４をα１（約３５°）回動すると、図１１の如く、上ピン孔Ｂ１，Ｃ１，Ｅ１，Ｆ１，Ｈ１，Ｉ１，Ｋ１，Ｌ１，Ｎ１，Ｏ１，Ｑ１，Ｒ１，Ｔ１，Ｕ１，Ｗ１，Ｘ１と、内筒４の溝４Ａ、４Ａの収納孔ｐｂ１，ｐｃ１，ｐｅ１，ｐｆ１，ｐｈ１，ｐｉ１，ｐｋ１，ｐｌ１，ｐｎ１，ｐｏ１，ｐｑ１，ｐｒ１，ｐｔ１，ｐｕ１，ｐｗ１，ｐｘ１とが対向する位置となり、上ピン孔Ｂ１，Ｃ１，Ｅ１，Ｆ１，Ｈ１，Ｉ１，Ｋ１，Ｌ１，Ｎ１，Ｏ１，Ｑ１，Ｒ１，Ｔ１，Ｕ１，Ｗ１，Ｘ１に収納されている補助ピン７がバネ５の付勢力によって収納孔ｐｂ１，ｐｃ１，ｐｅ１，ｐｆ１，ｐｈ１，ｐｉ１，ｐｋ１，ｐｌ１，ｐｎ１，ｐｏ１，ｐｑ１，ｐｒ１，ｐｔ１，ｐｕ１，ｐｗ１，ｐｘ１に押しやられて収納されようとする。しかし、内筒４の溝４Ａ，４Ａに配置されているセット・リセット部材９，９の山部ｐｂ３，ｐｃ３，ｐｅ３，ｐｆ３，ｐｈ３，ｐｉ３，ｐｋ３，ｐｌ３，ｐｎ３，ｐｏ３，ｐｑ３，ｐｒ３，ｐｔ３，ｐｕ３，ｐｗ３，ｐｘ３が補助ピン７の移動を阻止する状態に位置しているので、補助ピンは上ピン孔に収納された状態で保持される。
【手続補正１１】
【補正対象書類名】明細書
【補正対象項目名】００６０
【補正方法】変更
【補正の内容】
【００６０】
本実施例のシリンダー錠１には、鍵穴３にキーを差し込んだ際に、下ピンＡ４〜Ｘ４と上ピンＡ３〜Ｘ３との境界面、又は、上ピンＡ３〜Ｘ３あるいは下ピンＡ４〜Ｘ４と補助ピン７との境界面の何れかが、外筒２に対して内筒４が回動可能となるシャーラインＳＬに一致するようなディンプルなどからなる鍵山を形成した複数種類のキー（チェンジキー）ＣＫが予め用意されている。この一つのチェンジキーＣＫを合鍵としてセットするために、鍵穴３に差し込むと、例えば、図１０に示す如くコラムＥ，Ｎ，Ｏ，Ｑ，Ｕの５箇所の補助ピン７が外筒２の上ピン孔Ｅ１，Ｎ１，Ｏ１，Ｑ１，Ｕ１に一旦収納される。
【手続補正１２】
【補正対象書類名】明細書
【補正対象項目名】００６５
【補正方法】変更
【補正の内容】
【００６５】
そして、このセット用制御部材２０は、セット操作を行うためのキーＣＫの把持部をそのスリット２１に嵌挿し、第１の長さγ１を有する押出ピン２２，２２が内筒４のセット・リセットピン挿入孔４Ｅ，４Ｅに挿入され、前記段部に至るまでの第１の長さγ１を押し込むと、図１３に示すように、前記セット・リセット部材９,９がストロークＳＴ１だけ前方に移動し、上ピン孔に収納されていた補助ピン７・・・７はセット・リセット部材９，９の山部ｐｅ３，ｐｎ３，ｐｏ３，ｐｑ３，ｐｕ３と補助ピン７，・・・，７との当接（図１１の符号ア参照）が解除され、収納孔ｐｅ１，ｐｎ１，ｐｏ（オー）１，ｐｑ１，ｐｕ１にバネ５・・・５の付勢力により押動されて収納されることになる。
【手続補正１３】
【補正対象書類名】明細書
【補正対象項目名】００６７
【補正方法】変更
【補正の内容】
【００６７】
このセット状態では、収納孔ｐｅ１，ｐｎ１，ｐｏ１，ｐｑ１，ｐｕ１に収納された補助ピン７，・・・，７は、セット・リセット部材９がバネ１０の付勢力によって溝４Ａを後方側に摺動するのに伴って、セット・リセット部材９の段部９Ｂが補助ピン７，・・・，７を押動して、図７に示した長さβの長円状の収納孔ｐｅ１，ｐｎ１，ｐｏ１，ｐｑ１，ｐｕ１内の長さ方向で移動させる。この結果、補助ピン７・・・７は収納孔ｐｅ１，ｐｎ１，ｐｏ１，ｐｑ１，ｐｕ１内の右側壁とセット・リセット部材９，９の段部９Ｂとの間に挟持された状態で保持される。なお、この状態でキーＣＫを再び時計方向にα１回動しても、補助ピン７，・・・，７の位置は外筒２の隔壁ＢＥ，ＫＮ，ＬＯ，ＮＱ，ＲＵと対峙する位置となり、この隔壁ＢＥ，ＫＮ，ＬＯ，ＮＱ，ＲＵにより、補助ピン７・・・７が外筒の上ピン孔内への移動（収納）が阻止される（図１７参照）。従って、キーＣＫにセットされた後はキーＣＫによる安定した施解錠が保障される。
このセット状態においては、上ピンＡ３〜Ｘ３と下ピンＡ４〜Ｘ４との間から５個の補助ピン７，・・・，７を除去しているから、この補助ピン７に対応する鍵山を有するチェンジキーのみが施解錠可能で他のチェンジキーでは施解錠することができない。
【手続補正１４】
【補正対象書類名】明細書
【補正対象項目名】００７１
【補正方法】変更
【補正の内容】
【００７１】
そして、このリセット用制御部材３０を、リセット操作を行うためのキーＣＫの把持部をそのスリット３１に嵌挿し、第２の長さγ２を有する押出ピン３２，３２をセット・リセットピン挿入孔４Ｅ，４Ｅに挿入して、セット・リセット部材９，９を押動すると、図１７の状態では 内筒４の収納孔ＰＥ，ＰＮ，ＰＯ，ＰＮ，ＰＱ，ＰＵに収納されていた補助ピン７，・・・，７は、図１８に示すようにリセット用制御部材３０、３０の第二ピン３２，３２によりストロークＳＴ２だけ押動されて前方側に移動したセット・リセット部材９，９のテーパ部９Ａ、９Ａの作用により対峙する外筒２の上ピン孔Ｅ１，Ｎ１，Ｑ１，Ｏ１，Ｕ１ 内に移動して収納される。
【手続補正１５】
【補正対象書類名】明細書
【補正対象項目名】００７２
【補正方法】変更
【補正の内容】
【００７２】
なお、リセット用制御部材３０の押出ピン（第２のピン）３２，３２の長さγ２は、前記セット用制御部材２０の第１のピン２２，２２の長さγ１より長くしてあり、リセット用制御部材３０による押出ピン３２，３２がセット・リセット部材９の押動ストロークＳＴ２は、セット時の押動ストロークＳＴ１（図１３参照）よりも長いストロークＳＴ２に設定してある。
【手続補正１６】
【補正対象書類名】明細書
【補正対象項目名】００７３
【補正方法】変更
【補正の内容】
【００７３】
この状態（図１９）のまま、チェンジキーＣＫおよびリセット用制御部材３０を反時計方向α１回動して内筒４を元に戻して、リセット用制御部材３０を抜き取ると、図１０に示すリセット状態でキーＣＫを差し込んだ状態となり、キーＣＫを抜き取れば図３に示す元のリセット状態となる。
図３に示すリセット状態において、最初にセットしたキーＣＫとは異なるキーＣＫ１にセットするには前記と同様にキーＣＫ１とセット用制御部材２０とを使用してキーＣＫ１にセットする。更に新しいキーＣＫ２・・・ＣＫｎにセットするには前記と同様にキーＣＫ２・・・ＣＫｎとリセット用制御部材３０とを使用して一度リセット状態としてから、次に新しいキーＣＫ２・・・ＣＫｎとセット用制御部材２０とを使用してセットすれば良い。なお、当然のことながら、元の旧いキーＣＫにセットすることも可能である。このことは、居住人が頻繁に変わる賃貸住宅や集合住宅において錠を取り替えることなく、管理人がセット・リセット操作をすることによりキーチェンジが簡単に行えるので、居住人が頻繁に替わる賃貸住宅や集合住宅の管理に極めて有効である。
また、リセット用制御部材３０は、図示しないが、請求項４に記載のように、リセット操作を行うためのキー（実際にはどのようなキーＣＫにセットされた状態でも施解錠が可能なマスターキーＭＫ）に固定することにより、このキー付きのリセット用制御部材３０の１個で、セット状態の全てのシリンダー錠をリセット状態にすることができる。
【手続補正１７】
【補正対象書類名】明細書
【補正対象項目名】００７５
【補正方法】変更
【補正の内容】
【００７５】
マスターキーＭＫの鍵山は、当該マスターキーＭＫをシリンダー錠１の鍵穴３に挿入すると、図３に示すリセット状態時には、上ピンＥ３，Ｋ３，Ｎ３，Ｑ３，Ｗ３，Ｆ３，Ｉ３，Ｌ３，Ｏ３，Ｕ３と下ピンＥ４，Ｋ４，Ｎ４，Ｑ４，Ｗ４，Ｆ４，Ｉ４，Ｌ４，Ｏ４，Ｕ４との間に介在する補助ピン７，・・・，７を、全て上ピン孔Ｅ１，Ｋ１，Ｎ１，Ｑ１，Ｗ１，Ｆ１，Ｉ１，Ｌ１，Ｏ１，Ｕ１側に押し上げるように設定されている。
【手続補正１８】
【補正対象書類名】明細書
【補正対象項目名】００７７
【補正方法】変更
【補正の内容】
【００７７】
一方、マスターキーＭＫの鍵山は、上ピンＥ３，Ｋ３，Ｎ３，Ｑ３，Ｗ３，Ｆ３，Ｉ３，Ｌ３，Ｏ３，Ｕ３と下ピンＥ４，Ｋ４，Ｎ４，Ｑ４，Ｗ４，Ｆ４，Ｉ４，Ｌ４，Ｏ４，Ｕ４との間に介在する補助ピン７，・・・，７を、全て上ピン孔Ｅ１，Ｋ１，Ｎ１，Ｑ１，Ｗ１，Ｆ１，Ｉ１，Ｌ１，Ｏ１，Ｕ１側に押し上げるように設定されているから、どのようなキーＣＫにセットされ、上ピンと下ピンとの間に補助ピン７が残っている位置が異なっていても、セットされたシリンダー錠１の鍵穴３にマスターキーＭＫを挿入すると、上ピンと下ピンとの間に残る補助ピンと下ピンとの境界面がシャーラインＳＬ上に位置し、全てのシリンダー錠１が一つのマスターキーＭＫにより施解錠することができるのである。
【手続補正１９】
【補正対象書類名】明細書
【補正対象項目名】００７８
【補正方法】変更
【補正の内容】
【００７８】
ある特定のキーＣＫでセットされた図１６に示すシリンダー錠１では、上ピンＫ３，Ｗ３，Ｆ３，Ｉ３，Ｌ３と下ピンＫ４，Ｗ４，Ｆ４，Ｉ４，Ｌ４との間に補助ピン７，・・・，７が残っているが、このシリンダー錠１にマスターキーを挿入すると図１８（Ａ）に示すように補助ピン７，・・・，７の全ては上ピン孔Ｋ１，Ｗ１，Ｆ１，Ｉ１，Ｌ１側に移動する。そして、この移動させた状態のままα１だけ時計方向にマスターキーＭＫを内筒４とともに回動させた状態を示すのが図１８（Ｂ）である。
【手続補正２０】
【補正対象書類名】明細書
【補正対象項目名】００８２
【補正方法】変更
【補正の内容】
【００８２】
一方、マスターキーＭＫの鍵山は、上ピンＥ３，Ｋ３，Ｎ３，Ｑ３，Ｗ３，Ｆ３，Ｉ３，Ｌ３，Ｏ３，Ｕ３と下ピンＥ４，Ｋ４，Ｎ４，Ｑ４，Ｗ４，Ｆ４，Ｉ４，Ｌ４，Ｏ４，Ｕ４との間に介在する補助ピン７，・・・，７を、全て上ピン孔Ｅ１，Ｋ１，Ｎ１，Ｑ１，Ｗ１，Ｆ１，Ｉ１，Ｌ１，Ｏ１，Ｕ１側に押し上げるように設定されているから、どのようなキーＣＫにセットされ、上ピンと下ピンとの間に補助ピン７が残っている位置が異なっていても、セットされたシリンダー錠１の鍵穴３にマスターキーＭＫを挿入すると、上ピンと下ピンとの間に残る補助ピンと下ピンとの境界面がシャーラインＳＬ上に位置し、全てのシリンダー錠１が一つのマスターキーＭＫにより施解錠することができるのである。
【手続補正２１】
【補正対象書類名】明細書
【補正対象項目名】００８５
【補正方法】変更
【補正の内容】
【００８５】
また、図３の状態でマスターキーＭＫを差し込むと、全ての補助ピン７，・・・，７は外筒２の上ピン孔内に移動し、次にマスターキーＭＫを時計方向にα１回動し、セット用制御部材２０を用いて、セット・リセット部材９，９を押動し、そのまま反時計方向にα１戻してセット用制御部材２０を抜き取ると、全ての補助ピン７，・・・，７は収納ポケット側に収納された状態となることによって、他の何れのキーＣＫでも施解錠することが不能となり、マスターキーＭＫのみでの施解錠可能なシャットアウト状態とすることも可能となる。
【手続補正２２】
【補正対象書類名】明細書
【補正対象項目名】００９５
【補正方法】変更
【補正の内容】
【００９５】
本発明の実施例２のシリンダー錠によれば、内筒４の収納孔ｐｂ１〜ｐｘ１の一部に補助ピン７の出入り（外筒の上ピン孔から内筒の収納孔への移動および 内筒の収納孔から外筒の上ピン孔内への移動）を阻止する蓋（出入阻止部）６０を形成してあり、ある設定角度以上 内筒４を回動して、外筒２の上ピン孔Ａ１〜Ｘ１にある補助ピン７が、当該 内筒４の収納孔ｐｂ１〜ｐｘ１に対峙する位置になった時、前記補助ピン７は収納孔ｐｂ１〜ｐｘ１の蓋（出入阻止部）６０に当接して、該収納孔ｐｂ１〜ｐｘ１に収納されないように構成してあるから、キー（および 内筒４）の回動角度が例えば３６０度と大きい場合であっても、外筒の上ピン孔Ａ１〜Ｘ１にある補助ピン７が施解錠操作中に誤って 内筒４の収納孔ｐｂ１〜ｐｘ１に落ち込んでしまうという不都合が起きないようにして、キーおよび 内筒の回動角度がいかなる場合に対しても上記問題を解消できる。
なお、例えば、図２９で言えば、上ピンＫ３，Ｗ３，Ｆ３，Ｉ３と、それらに対向する収納孔ＰＫ１，ＰＷ１，ＰＦ１，ＰＩ１の各蓋（出入阻止部）６０とで、各補助ピン７は挟持されている。また、上記以外の蓋（出入阻止部）６０より下方の収納孔内に収納されている補助ピン７（図２９では上ピン孔Ｎ３，Ｔ３，Ｃ３，Ｌ３，Ｏ３）は蓋（出入阻止部）６０で外筒の上ピン孔内への移動が阻止される。
【手続補正２３】
【補正対象書類名】明細書
【補正対象項目名】００９７
【補正方法】変更
【補正の内容】
【００９７】
【図１】本発明の実施例１のシリンダー錠の正面図である。
【図２】図１のＺ１−Ｚ１線縦断面図である。
【図３】図１のＺ２−Ｚ２線断面図である。
【図４】図１のＺ３−Ｚ３線断面図である。
【図５】図２及び図３におけるＤ２−Ｄ２、Ｅ−Ｆ線断面図である。
【図６】内筒を示し、（Ａ）は内筒の側面図、（Ｂ）は内筒の正面図、（Ｃ）は（Ｂ）のＺ３−Ｚ３線断面図である。
【図７】図６の内筒の拡大図を示し、（Ａ）は内筒の一部断面図、（Ｂ）は内筒の長円状の収納孔の上面図である。
【図８】セット・リセット部材を示し、（Ａ）は谷部ｐｂ２，ｐｅ２，ｐｈ２，ｐｋ２，ｐｎ２，ｐｑ２，ｐｔ２，ｐｗ２を形成したセット・リセット部材の側面図、（Ｂ）は谷部ｐｃ２，ｐｆ２，ｐｉ２，ｐｌ２，ｐｏ２，ｐｒ２，ｐｕ２，ｐｘ２を形成したセット・リセット部材の側面図である。
【図９】図２，図３のリセット状態のシリンダー錠の鍵穴にキー（チェンジキー）を差し込んだ状態を示すＤ２−Ｄ２、Ｅ−Ｆ線断面図である。
【図１０】図１のリセット状態のシリンダー錠の鍵穴にキー（チェンジキー）を差し込んだ状態を示す図１のＺ２−Ｚ２線断面図である。
【図１１】リセット状態の鍵穴にキー（チェンジキー）を差し込んで時計方向に約３５度回転させた場合の図１のＺ２−Ｚ２線断面図である。
【図１２】第１の治具を示し、（Ａ）は正面から見た断面図、（Ｂ）は平面図、（Ｃ）は左側面図、（Ｄ）は右側面図である。
【図１３】図１１の状態からセット用制御部材によってセット・リセット部材を移動させて、補助ピンをセット・リセット部材の谷部と内筒の収納孔とで構成される収納ポケットに落とし込み収納した状態を示すＺ２−Ｚ２線断面図である。
【図１４】図１３の状態からセット用制御部材の操作を解除し、セット・リセット部材を付勢するバネによって操作前の状態に戻してから、キーを反時計方向にα１（約３５度）回転させた状態を示す図１のＺ３−Ｚ３線断面図である。
【図１５】第２の治具としてのリセット用制御部材を示し、（Ａ）は正面から見た断面図、（Ｂ）は平面図、（Ｃ）は左側面図、（Ｄ）は右側面図である。
【図１６】セット状態のシリンダー錠の鍵穴に合鍵であるキー（チェンジキー）を差し込んだ状態を示す図１のＺ２−Ｚ２線断面図である。
【図１７】図１６の状態からキー（チェンジキー）を時計方向にα１（約３５度）回転させた場合の図１のＺ２−Ｚ２線断面図である。
【図１８−Ａ】あるキー（チェンジキー）を合鍵としてセットしたセット状態のシリンダー錠の鍵穴に合鍵であるキー（チェンジキー）を差し込んだ状態を示す図１のＺ２−Ｚ２線断面図である
【図１８−Ｂ】あるキー（チェンジキー）を合鍵としてセットした状態のシリンダー錠の鍵穴にマスターキーを差し込んで時計方向にα１（約３５度）回転させた場合の図１のＺ２−Ｚ２線断面図である。
【図１９】図１７の状態からリセット用制御部材によってセット・リセット部材を移動させて、収納ポケットに収納されていた補助ピンを外筒の上ピン孔に戻す状態を示す図１のＺ２−Ｚ２線断面図である。
【図２０】本発明の実施例２のシリンダー錠の内筒の断面図である。
【図２１】本発明の実施例２のシリンダー錠の内筒の側面図である
【図２２】図２０のＸ−Ｙ線断面図である。
【図２３】図２１のイ、ロ部の拡大図である。
【図２４】収納孔の蓋付近の断面図である。
【図２５】セット状態のシリンダー錠の鍵穴にキーを差し込んで設定角度回転した状態の断面図である。
【図２６】図２５におけるＫ−Ｌ線断面図である。
【図２７】セット状態のシリンダー錠の鍵穴にマスターキーを差し込んで設定角度回転した状態の断面図である。
【図２８】図２７におけるＫ−Ｌ線断面図である。
【図２９】図２７の状態から 内筒を反時計方向に１４５度回転した断面図である。
【図３０】図２８におけるＫ−Ｌ線断面図である。
【図３１】特許文献３のシリンダー錠の正面図である。
【図３２】図３１のＺ１−Ｚ１線断面図である。
【図３３】図３１のＺ２−Ｚ２線断面図である。
【図３４】図３１のＺ３−Ｚ３線断面図である。
【図３５】図３２及び図３３におけるＤ２−Ｄ２、Ｅ−Ｆ線断面図である。
【図３６】内筒を示し、（Ａ）は内筒の側面図、（Ｂ）は内筒の正面図、（Ｃ）は（Ｂ）のＺ３−Ｚ３線断面図である。
【図３７】図３２，図３３のリセット状態のシリンダー錠の鍵穴にキー（チェンジキー）を差し込んだ状態を示すＤ２−Ｄ２、Ｅ−Ｆ線断面図である。
【図３８】リセット状態の鍵穴にキー（チェンジキー）を差し込んで時計方向にα（４５度）回転させた場合の図３１のＺ２−Ｚ２線断面図であり、（Ａ）は収納ポケットに補助ピンが落ち込む前の状態を示す要部切欠断面図、（Ｂ）は収納ポケットに補助ピンが落ち込んだ状態を示す要部切欠断面図、（Ｃ）は制御部材でリセット部材を押し込んで補助ピンを押し上げた状態の要部切欠断面図である。